(57)【要約】【課題】コンパクトに折り畳み可能な小物入れを提供する。【解決手段】小物入れ１は、折り畳み可能に連接されたそれぞれ矩形状の前板３及び底板５及び蓋板７と、前記前板３及び前記底板５に折り畳み可能に連接された二つ折り可能な一対の三角形状の側板９、１１と、を有し、前記前板３と前記底板５と前記蓋板７とを三角筒状に折り曲げることで、対象物が収容される収容空間を形成する折り畳み式の小物入れであって、前記前板３と前記底板５と前記蓋板７とを三角筒状に折り曲げた際に当接する前記前板３の端縁と前記蓋板７の端縁のいずれか一方には、該端縁に沿った凹部２１が形成され、いずれか他方には前記凹部２１に係合する凸部２３が前記端縁に沿って形成され、前記凹部２１と前記凸部２３とを係合させることで、前記前板３と前記蓋板７の折り畳みが規制される。【選択図】図１Ａ
2022000096.tif 000002
【特許請求の範囲】
【請求項１】
折り畳み可能に連接されたそれぞれ矩形状の前板及び底板及び蓋板と、前記前板及び前記底板に折り畳み可能に連接された二つ折り可能な一対の三角形状の側板と、を有し、前記前板と前記底板と前記蓋板とを三角筒状に折り曲げることで、対象物が収容される収容空間を形成する折り畳み式の小物入れであって、
前記前板と前記底板と前記蓋板とを三角筒状に折り曲げた際に当接する前記前板の端縁と前記蓋板の端縁のいずれか一方には、該端縁に沿った凹部が形成され、いずれか他方には前記凹部に係合する凸部が前記端縁に沿って形成され、
前記凹部と前記凸部とを係合させることで、前記前板と前記蓋板の折り畳みが規制されることを特徴とする小物入れ。
【請求項２】
前記前板及び前記蓋板には、それぞれの前記端縁に沿って、互いに引き合う方向の磁力を発生する磁性部材が設けられ、
前記収容空間が形成されると、前記磁性部材間の磁力によって前記端縁が互いに引き付けられることを特徴とする請求項１に記載の小物入れ。
【請求項３】
前記対象物は眼鏡であることを特徴とする請求項１又は２に記載の小物入れ。
【発明の詳細な説明】
【技術分野】
【０００１】
本発明は、折り畳み可能な小物入れに関する。
【背景技術】
【０００２】
眼鏡ケースのような、折り畳み可能な小物入れとして、例えば特許文献１に記載されている眼鏡ケースのように、三角柱状の眼鏡収容部分をとり囲む前面部と、後面部と、蓋部と、対面する２つの側面部と、を有するものが知られている。蓋部は折り返し可能に形成されて、前面部に重ねるように折り返されることで、収容部分の開口を閉止する。折り畳む際には、対面する２つの側面を折り曲げて前面部と後面部と重ねた後、重ねられた前面部と後面部とに蓋部を重ねる。
【先行技術文献】
【特許文献】
【０００３】
【特許文献１】特開２０１６−１７４７１８号公報
【発明の概要】
【発明が解決しようとする課題】
【０００４】
しかしながら、上記特許文献１に記載されている眼鏡ケースでは、収容部分の開口を閉止するために、蓋部が折り返し可能に形成される必要があるので、蓋部の寸法が前面部と後面部の寸法よりも大きくなる。このため、前面部と後面部と蓋部とが重なるように折り畳んだ状態では、重ねられた前面部と後面部とから蓋部がはみ出し、コンパクトに折り畳めないという問題がある。
【０００５】
本発明は、上記課題を解決するために、コンパクトに折り畳み可能な小物入れを提供することを目的とする。
【課題を解決するための手段】
【０００６】
本発明の小物入れは、折り畳み可能に連接されたそれぞれ矩形状の前板及び底板及び蓋板と、前記前板及び前記底板に折り畳み可能に連接された二つ折り可能な一対の三角形状の側板と、を有し、前記前板と前記底板と前記蓋板とを三角筒状に折り曲げることで、対象物が収容される収容空間を形成する折り畳み式の小物入れであって、前記前板と前記底板と前記蓋板とを三角筒状に折り曲げた際に当接する前記前板の端縁と前記蓋板の端縁のいずれか一方には、該端縁に沿った凹部が形成され、いずれか他方には前記凹部に係合する凸部が前記端縁に沿って形成され、前記凹部と前記凸部とを係合させることで、前記前板と前記蓋板の折り畳みが規制されることを特徴とする。
【０００７】
本発明の小物入れにおいて、前記前板及び前記蓋板には、それぞれの前記端縁に沿って、互いに引き合う方向の磁力を発生する磁性部材が設けられ、前記収容空間が形成されると、前記磁性部材間の磁力によって前記端縁が互いに引き付けられることを特徴としてもよい。
【０００８】
本発明の小物入れにおいて、前記対象物が眼鏡であることを特徴としてもよい。
【発明の効果】
【０００９】
本発明によれば、蓋板を前板及び底板と同じ形状とすることができるので、折り畳み状態をコンパクト化できる。
【図面の簡単な説明】
【００１０】
【図１Ａ】本発明の一実施形態に係る眼鏡ケース（収容状態）を示す斜視図である。
【図１Ｂ】本発明の一実施形態に係る眼鏡ケース（折り畳み状態）を示す斜視図である。
【図２】本発明の一実施形態に係る眼鏡ケースを示す展開図である。
【図３】本発明の一実施形態に係る眼鏡ケースの一部の断面図である。
【図４Ａ】本発明の一実施形態に係る眼鏡ケースを折り畳み状態から収容状態へ展開する段階（蓋板が開かれる段階）を示す斜視図である。
【図４Ｂ】本発明の一実施形態に係る眼鏡ケースを折り畳み状態から収容状態へ展開する段階（前板が開かれる段階）を示す斜視図である。
【図４Ｃ】本発明の一実施形態に係る眼鏡ケースを折り畳み状態から収容状態へ展開する段階（収容空間が形成された段階）を示す斜視図である。
【図４Ｄ】本発明の一実施形態に係る眼鏡ケースを折り畳み状態から収容状態へ展開する段階（収容空間が閉止される段階）を示す斜視図である。
【発明を実施するための形態】
【００１１】
図１Ａ〜図３を参照して、本発明の実施形態に係る小物入れとしての眼鏡ケースについて説明する。図１Ａは、収容状態の眼鏡ケースを示す斜視図、図１Ｂは、折り畳み状態の眼鏡ケースを示す斜視図である。図２は、眼鏡ケースを示す展開図である。なお、図２は、眼鏡ケースの外側から見た展開図である。図３は、眼鏡ケースの一部の断面図である。各図に示すＬ、Ｒは、それぞれ左、右を示している。
【００１２】
図１Ａや図２に示されるように、眼鏡ケース１は、折り畳み可能に連接されたそれぞれ矩形状の前板３及び底板５及び蓋板７と、前板３及び底板５に折り畳み可能に連接された三角形状の左右の側板９、１１と、で構成されている。
【００１３】
図２に示されるように、前板３、底板５、蓋板７は、同じ寸法の左右方向に長い矩形状であり、所定の厚さ（例えば、３ｍｍ）の板状部材で形成されている。前板３、底板５、蓋板７は、図３に示されるように、内繊維層４１と、コア層４３と、外繊維層４５の三層構造を有している。外繊維層４５は、内繊維層４１とコア層４３の端面をくるむように折り返されて、糸４７で内繊維層４１に縫い付けられている。また、図２にも示されるように、底板５と蓋板７の外面には、カーボンファイバープレート５１が貼り付けられている。
【００１４】
再度図２を参照して、前板３の一方の長辺に、底板５の一方の長辺が折れ線Ｌ１を介して折り畳み可能に連接され、底板５の他方の長辺に、蓋板７の一方の長辺が折り曲げ部Ｌ２を介して折り畳み可能に連接されている。折り曲げ部Ｌ２は、各板の厚さ程度の長さ（左右方向と直交する方向の長さ、この例では３ｍｍ程度）を有している。折り曲げ部Ｌ２は、内繊維層４１と外繊維層４５とで形成され、柔軟性を有している。
【００１５】
前板３には、端縁（他方の長辺）の中央部に沿って凹部２１が形成されている。凹部２１は、前板３の厚さと同等の深さ（この例では３ｍｍ）と、端縁の半分程度の長さとを有している。凹部２１の底辺２１ａは端縁と平行な直線状であり、凹部２１の両側辺２１ｂはそれぞれ底辺２１ａに対して外側に向かって傾斜している。一方で、蓋板７には、端縁（他方の長辺）の中央部に沿って凸部２３が形成されている。凸部２３は、凹部２１の深さと同程度の高さと、端縁の半分程度の長さとを有している。凸部２３の頂辺２３ａは、端縁と平行な直線状であり、凸部２３の両側辺２３ｂはそれぞれ頂辺２３ａに対して外側に向かって傾斜している。このように凹部２１と凸部２３とは、互いに反対の形状（この例では、上下が逆の台形状）に形成されている。
【００１６】
また、前板３には、端縁に沿って、磁性部材としての３個の磁性金属製（例えば、鉄製）の外磁性プレート３１が埋め込まれている。３個の外磁性プレート３１は、両端部と中央部とに配置されている。さらに、前板３には、一方の長辺に沿って２個の磁性金属（例えば、鉄製）の内磁性プレート３３が埋め込まれている。２個の内磁性プレート３３は、両端部に配置されている。
【００１７】
蓋板７には、端縁に沿って、磁性部材としての３個の矩形プレート状の磁石３５が埋め込まれている。各磁石３５は、外磁性プレート３１及び内磁性プレート３３との間に互いに引き付け合う方向の磁界を発生する。３個の磁石３５は、両端部と中央部とに配置されている。
【００１８】
左右の側板９、１１のそれぞれは、一辺の長さが、前板３及び底板５の短辺（側縁）の長さと等しい正三角形状であり、例えば、内繊維層４１と外繊維層４５とで形成されて、柔軟性を有している。左側板９の２つの辺は、前板３と底板５の左短辺（左側縁）に折れ線Ｌ３、Ｌ４を介して折り畳み可能に連接されており、右側板１１の２つの辺は、前板３と底板５の右短辺（右側縁）に折れ線Ｌ５、Ｌ６を介して折り畳み可能に連接されている。左右の側板９、１１は、前板３と底板５に連接する２つの辺間の頂角から残りの辺に垂下する折れ線Ｌ７、Ｌ８に沿って二つに谷折り可能である。左右の側板９、１１の頂角以外の角は、円弧状に形成されている。
【００１９】
上記構成を有する眼鏡ケース１は、使用時（眼鏡Ｇを収容する際）には図１Ａに示す収容状態に展開され、非使用時には図１Ｂに示す折り畳み状態に折り畳まれる。
【００２０】
図１Ａに示される収容状態では、前板３が底板５に対して起立するように折り曲げられ、左右の側板９、１１が開かれて底板５に対して起立するように折り曲げられている。なお、左右の側板９、１１は完全に三角形に開かれる必要はない。これにより、前板３と底板５と左右の側板９、１１で囲まれる収容空間Ｓが形成される。収容空間Ｓには、対象物としての眼鏡Ｇが収容される。そして、蓋板７を底板５に対して折り曲げて、前板３の凹部２１に蓋板７の凸部２３を係合させる。これにより、前板３と底板５と蓋板７とが三角筒状に折り曲げられて、収容空間Ｓが蓋板７で閉止される。
【００２１】
ここで、前板３の凹部２１の両側の部分と蓋板７の凸部２３の両側の部分では、蓋板７の端縁が前板３の内面に当接し、蓋板７が突っ張りとなって前板３の折り畳みが規制される。このように前板３の折り畳みが規制されることで、蓋板７の折り畳みも規制される。さらに、蓋板７の磁石３５（図２参照）と前板３との外磁性プレート３１（図２参照）との間に互いに引き合う方向の磁界が発生する。
【００２２】
図１Ｂに示される折り畳み状態では、左右の側板９、１１が折れ線Ｌ７、Ｌ８（図２参照）で二つに谷折りされて底板５に重なるように折れ線Ｌ３〜Ｌ６（図２参照）に沿って折り畳まれ、前板３が底板５に重なるように折れ線Ｌ１（図２参照）に沿って折り畳まれている。さらに、蓋板７が折り曲げ部Ｌ２（図２参照）に沿って前板５に重なるように折り畳まれている。折り曲げ部Ｌ２は、前板３の厚さ方向に沿っている。これにより、底板５と前板３と蓋板７とが重なるように折り畳まれる。さらに、蓋板７の磁石３５と前板３の内磁性プレート３３との間に互いに引き合う方向の磁界が発生する。
【００２３】
次に、図１Ａ及び図１Ｂと、図４Ａ〜図４Ｄを参照して、眼鏡ケース１を折り畳み状態（図１Ｂ参照）から収容状態（図１Ａ参照）へ展開する手順について説明する。
【００２４】
まず、図１Ｂに示される折り畳み状態において、図４Ａに示されるように、蓋板７を底板５に対して開く。そして、図４Ｂに示されるように、前板３を底板５に対して開くと、左右の側板９、１１が開かれる。左右の側板９、１１が開かれると、図４Ｃに示されるように、収容空間Ｓが形成される。収容空間Ｓに眼鏡Ｇを収容した後、図４Ｄに示されるように、蓋板７を底板５に対して折り曲げ、図１Ａに示されるように、前述のように前板３の凹部２１に蓋板７の凸部２３を係合させる。
【００２５】
上記説明したように、本発明の眼鏡ケース１によれば、蓋板７に折り返し部を設ける必要がないので、蓋板７を前板３及び底板５と同じ形状とすることができる。したがって、折り畳まれた前板３及び底板５に蓋板７を折り重ねた際に蓋板７がはみ出ることがないので、折り畳み状態をコンパクト化できる。このように蓋板７に折り返し部を設けなくとも、前板３の凹部２１と蓋板７の凸部２３と係合させることで、収容空間Ｓが閉止されると共に前板３と蓋板７の折り畳みが防止されるので、収容空間Ｓを確実に保護することができる。
【００２６】
さらに、前板３の外磁性プレート３１と蓋板７の磁石３５との間の磁界により、前板３の端縁と蓋板７の端縁とが互いに引き付けられるので、収容空間Ｓの不用意な開放が防止される。また、折り畳んだ状態では、前板３の内磁性プレート３３と蓋板７の磁石３５との間の磁界により、蓋板７が前板３に引き付けられるので、折り畳み状態が維持される。
【００２７】
また、凹部２１の深さと凸部２３の高さは、前板３及び蓋板７の厚さと同程度であるので、凹部２１と凸部２３とを係合させた際に、凸部２３が凹部２１から外方向へ突き出さない。このため、収容状態ではほぼ三角筒に近い形状となるため見栄えが良い。
【００２８】
なお、凹部２１と凸部２３の形状は、上記実施形態に限らない。例えば、凹部２１の両側辺２１ｂが底辺２１ａに対して直角で、凸部２３の両側辺２３ｂが頂辺２３ａに対して直角であってもよい。あるいは、凹部２１の両側辺２１ｂが底辺２１ａに対して内側へ傾斜し、凸部２３の両側辺２３ｂが頂辺２３ａに対して内側へ傾斜してもよい。さらに、互いに係合する凹部２１と凸部２３の数は、複数個であってもよい。
【００２９】
また、前板３、底板５、蓋板７は、必ずしも同じ寸法とする必要はない。このような場合でも、蓋板７に折り返し部を設ける必要はない。
【００３０】
上記実施形態では、収容空間Ｓに収容される対象物が眼鏡であり、小物入れが眼鏡ケースである場合について記載したが、対象物は、ペンや鉛筆などの文房具や、スプーンや箸などのカトラリー、アクセサリー等を含む。
【００３１】
本発明の技術範囲は、上記実施形態に限定されるものではない。本発明は技術的思想の趣旨を逸脱しない範囲において様々に変更、置換、変形されてもよく、特許請求の範囲は技術的思想の範囲内に含まれ得る全ての実施態様を含んでいる。
【符号の説明】
【００３２】
１  眼鏡ケース（小物入れ）
３  前板
５  底板
７  蓋板
９、１１  側板
２１  凹部
２３  凸部
３１  磁性プレート（磁性部材）
３５  磁石（磁性部材）
【図１Ａ】
2022000096.tif 000003
【図１Ｂ】
2022000096.tif 000004
【図２】
2022000096.tif 000005
【図３】
2022000096.tif 000006
【図４Ａ】
2022000096.tif 000007
【図４Ｂ】
2022000096.tif 000008
【図４Ｃ】
2022000096.tif 000009
【図４Ｄ】
2022000096.tif 000010